(57)【要約】  垂直方向に設置されて循環運動し、下部を水没可能な循環移送装置（３）と、循環移送装置（３）の外面に適宜間隔ごとに植設された延縄用餌固定ピン（４）と、循環移送装置（３）の下端寄りにおいて、餌固定ピン（４）から餌を取外す取外し装置を備える。
2007105630.tif 000002
【特許請求の範囲】
【請求項１】
垂直方向に設置されて循環運動し、下部を水没させることが可能な循環移送装置と、前記循環移送装置の外面に適宜間隔ごとに植設された延縄用餌固定ピンと、前記循環移送装置の下端寄りにおいて、前記延縄用餌固定ピンから餌を取外す取外し装置を設けた延縄用餌付釣針水中投入装置。
【請求項２】
前記取外し装置は、前記循環移送装置の外方を覆うケーシングより成り、該ケーシングは、その前記循環移送装置の降下側を覆う部分に、前記延縄用餌固定用ピンの移動経路に沿ってスリットを形成すると共に、前記循環移送装置の下端寄りでは前記延縄用餌固定ピンが前記ケーシング内に没し、その上方では前記ピンが前記スリットを通して外部へ突出するよう傾斜している請求項１に記載の延縄用餌付釣針水中投入装置。
【請求項３】
前記ケーシングにおいて、前記循環移送装置の降下側を覆う部分の外方をカバーで被覆した、請求項２に記載の延縄用餌付釣針水中投入装置。
【請求項４】
前記ケーシングにおいて、前記循環移送装置の上昇側を覆う部分の外面に、長手方向に沿って補強材が装着された、請求項２に記載の延縄用餌付釣針水中投入装置。
【請求項５】
前記循環移送装置は間歇駆動され、排出口が前記ケーシングの外面上端部に向いたホッパを設置し、餌付釣針を前記ホッパに向けて、前記循環移送装置と同期して間歇的に搬送するコンベアを設置し、前記ホッパの排出口の下方に押さえ板を、前記循環移送装置の降下側を覆うケーシングの外面と対向して揺動可能に吊り下げ、該押さえ板を前記ケーシングに接近するよう付勢した、請求項２に記載の延縄用餌付釣針水中投入装置。
【発明の詳細な説明】
【技術分野】
【０００１】
本発明は、海鳥の混獲を防ぐ延縄用餌付釣針水中投入装置に関する。
背景技術【０００２】
マグロ延縄漁業において、投縄時に餌付釣針を海面に投入すると、アホウドリ類やミズナギドリ類が捕食し、混獲されることが多々ある。これは、餌が短時間ながら海面に停留して、海鳥に捕食の機会を与えるために発生している。
混獲される海鳥のなかには、絶滅危惧種であるアホウドリなども含まれており、早急な混獲防止対策の確立が望まれている。
海鳥の混獲防止対策としては、トリポール装置、餌の青色染色及び完全解凍、音響威嚇装置、夜間操業などがある。【０００３】
なかでも、トリポール装置は一定の効果が認められ、実船配備されている。この装置は、後部甲板上に垂直に立てられたポールと、その先端に接続された約２００ｍのロープと、ロープの他端に接続されたフロートと、ロープの途中に取り付けられた複数の吹流しとから成る。
吹流しは、不規則な運動により海鳥への威嚇効果を発揮し、餌料への捕食行動を妨げる。ところが、海鳥が次第に吹流しの動きに慣れてしまうので、海鳥の混獲抑止効果は不十分であり、海鳥を混獲してしまうこともしばしばある。【０００４】
また、船体の後方に電撃用ワイヤーを張設し、電撃用ワイヤー内に配置した電極に直接パルス電圧を印加することにより、電極近傍の海水中に電気的な衝撃発生させる延縄漁法における鳥類撃退装置が公知である（特開２００１−２３８５８５号公報参照）。
しかし、この装置は、海水中の生物にも電撃を加えるので、微小生物にとっては致命的な影響を与えかねない。また、釣針が船体から斜めに降下して海水面に達する前の空中にある状態では、電撃によって鳥類を撃退することができない。【０００５】
さらに、枝縄に取り付けられている釣り餌を投入アームの上面に設けた載置台に載せ、投入アームを高速で旋回させることにより、載置台上の枝縄及び釣り餌を遠心力によって船外に放出する延縄投入装置が知られている（特開平７−１２３８９２号公報参照）。
この延縄投入装置によれば、餌が海上に早く到達するが、海中に没するまでに海鳥に捕食される機会は減少せず、しかも、構造が非常に複雑でコストが高くつく。
【発明の開示】
【０００６】
本発明の目的は、延縄を船体に非常に接近した位置で垂直に海中へ投入して、鳥類が釣り針にかかるのを防ぎ、構造が簡単な延縄用餌付釣針水中投入装置を提供することにある。
【０００７】
前記目的を達成するために、本発明による延縄用餌付釣針水中投入装置は、垂直方向に設置されて循環運動し、下部を水没させることが可能な循環移送装置と、前記循環移送装置の外面に適宜間隔ごとに植設された延縄用餌固定ピンと、前記循環移送装置の下端寄りにおいて、前記延縄用餌固定ピンから餌を取外す取外し装置を設けてある。
前記取外し装置が、前記循環移送装置の外方を覆うケーシングより成り、該ケーシングは、その前記循環移送装置の降下側を覆う部分に、前記延縄用餌固定用ピンの移動経路に沿ってスリットを形成すると共に、前記循環移送装置の下端寄りでは前記延縄用餌固定ピンが前記ケーシング内に没し、その上方では前記ピンが前記スリットを通して外部へ突出するよう傾斜していることがある。
【０００８】
前記ケーシングにおいて、前記循環移送装置の降下側を覆う部分の外方をカバーで被覆しても良い。
前記ケーシングにおいて、前記循環移送装置の上昇側を覆う部分の外面に、長手方向に沿って補強材を装着しても良い。
釣針につけた餌を自動的に延縄用餌固定ピンに取り付け、延縄を容易に投入できるように、前記循環移送装置を間歇駆動し、排出口が前記ケーシングの外面上端部に向いたホッパを設置し、餌付釣針を前記ホッパに向けて、前記循環移送装置と同期して間歇的に搬送するコンベアを設置し、前記ホッパの排出口の下方に押さえ板を、前記循環移送装置の降下側を覆うケーシングの外面と対向して揺動可能に吊り下げ、前記押さえ板を前記ケーシングに接近するよう付勢しても良い。
【０００９】
本発明の延縄用餌付釣針水中投入装置は以上の構成を有するので、釣り針につけた餌を循環移送装置によって垂直に降下させ、深い位置で海中に直接投入することが可能であり、このため、海鳥が釣り針にかかるのをほぼ確実に防ぐことができる。
また、構造が簡単で、故障の原因となる複雑な駆動機構を有していないため、製造コストが低廉で済むばかりか、過酷な環境での長期使用にも耐えることができる。
【図面の簡単な説明】
【００１０】
【図１】本発明による延縄用餌付釣針水中投入装置の一実施例を示す漁船に設置した時の側面図である。
【図２】図１の延縄用餌付釣針水中投入装置の下部縦断面図である。
【図３】図１の延縄用餌付釣針水中投入装置の上部縦断面図である。
【図４】図１の延縄用餌付釣針水中投入装置の上部正面図である。
【図５Ａ】図５Ａは図２のａ部の横断面図、
【図５Ｂ】図５Ｂは図２のｂ部の横断面図、
【図５Ｃ】図５Ｃは図２のｃ部の横断面図である。
【図６】図１の延縄用餌付釣針水中投入装置に餌と枝縄を搬送するコンベア及びサブコンベアの斜視図である。
【図７】図１の延縄用餌付釣針水中投入装置の支持構造を示す斜視図である。
【図８】図１の延縄用餌付釣針水中投入装置の制御系統を示すブロック図である。
【図９】本発明による延縄用餌付釣針水中投入装置の他の実施例を示す横断面図である。
【図１０】本発明による延縄用餌付釣針水中投入装置の他の実施例を示す下部縦断面図である。
【図１１】本発明による延縄用餌付釣針水中投入装置の他の実施例を示す上部縦断面図である。
【発明を実施するための最良の形態】
【００１１】
本発明の延縄用餌付釣針水中投入装置は、漁船の船尾に垂直方向に設置されて循環運動し、下部を水没させることが可能な循環移送装置と、循環移送装置の外面に適宜間隔ごとに植設された延縄用餌固定用ピンと、循環移送装置の下端寄りにおいて、前記延縄用餌固定ピンから餌を取外す取外し装置とを備える。
餌固定ピンに取り付けた餌は、循環移送装置によって垂直に降下し、深い位置において取外し装置によりピンから外され、海中に直接投入される。【００１２】
本発明の実施例1を図1〜図に基づいて説明する。
延縄用餌付釣針水中投入装置Ａは、図１に示すように、漁船Ｂの船尾において、船体と接近した位置に垂直方向に沿って設置される。
延縄用餌付釣針水中投入装置Ａの長さは、漁船Ｂの大きさによっても異なるが、全長が約９ｍで、４．１ｍ程度が水没している。【００１３】
延縄用餌付釣針水中投入装置Ａは、図２及び図３に示すように、上下端部にそれぞれ回動自在に設置された駆動スプロケット１及び従動スプロケット２と、駆動用スプロケット１及び従動スプロケット２に掛け渡したチェーンベルト３より成る循環移送装置と、チェーンベルト３の外面に植設された多数の延縄用餌固定ピン４と、チェーンベルト３の外面を覆うケーシング５と、駆動スプロケット１の上方に設置されたホッパ６とを備え、漁船Ｂ上にはホッパ６へ釣針につけた餌Ｃを搬送するコンベア７が設置されている。【００１４】
駆動スプロケット１は空中に露出しており、その回転軸が間歇駆動するモータ８（図４及び図６）の出力軸に連結されて、モータ８が駆動する度に一定角度回転するようになっている。そして、駆動スプロケット１が間歇的に回転すると、チェーンベルト３が間歇的に循環運動する。
ピン４は、長さが約４０ｍｍであり、チェーンベルト３の外面に２０ｃｍ程度の間隔毎に、外周方向に向けて取り付けられている。【００１５】
ケーシング５は、ピン４から餌Ｃを取外す取外し装置であり、図５に示すように、断面矩形でチェーンベルト３の周囲を覆い、チェーンベルト３の上昇側を覆う部分の外面には、断面Ｔ形の補強材９が長手方向に沿って装着されている。
補強材９は、チェーンベルト３の直線部分を補強すると共に、稼動中の鉛直方向の安定にも寄与する。また、補強材９を設けることにより、ケーシング５の強度が増して、海上・海中での長期使用にも耐えることができる。【００１６】
図４に示すように、ケーシング５には、チェーンベルト３の降下側を覆う部分（以下、正面部という）に、ピン４の移動経路に沿ってスリット１０が形成されている。
図２に示すように、ケーシング５の正面部の下部は、チェーンベルト３との距離が下端に近づくに従って大きくなるよう傾斜している。
そして、図５Ａに示すように、ケーシング５の上部においては、スリット１０を通してケーシング５の外部に突出していたピン４が、図５Ｂに示すように、ケーシング５の傾斜した部分に達すると次第にケーシング５内に引っ込み、図５Ｃに示すように、ケーシング５の下端寄りでは、ピン４がケーシング５内に没入する。
図３に示すように、ケーシング５の正面部の上部は、上端に近づくに従ってチェーンベルト３からの距離が大きくなるよう傾斜している。【００１７】
ケーシング５の上端部にホッパ６が取り付けられ、ホッパ６の排出口１１がケーシング５の正面部外面の上端に向けて開口している。また、ホッパ６の排出口１１の下方には、ケーシング５の正面部外面と対向するように押さえ板１２が揺動可能に、且つ、ホッパ６から連続して吊り下げてある。この押さえ板１２は、ケーシング５に接近するよう付勢されている。
さらに、図４に示すように、ホッパ６及び押さえ板１２の正面中央部には、上下方向に沿う枝縄通しスリット１３が、ホッパ６の上端から押さえ板１２の下端に亘って形成されている。【００１８】
図６に示すように、コンベア７は船上に設置されて間歇運転され、その末端がホッパ６の上端開口部の上方に達している。コンベア７の側方には、餌Ｃが取り付けられた枝縄Ｄを搬送するサブコンベア１４が、コンベア７と平行に配設され、コンベア７に同期して間歇運転されている。サブコンベア１４の末端は、船体から突出して海上に張り出している。
コンベア７で移送されてホッパ６に投入された餌Ｃは、排出口１１から排出されると、ケーシング５と押さえ板１２とで挟まれて停止する。また、餌Ｃと連結された枝縄Ｄは、枝縄通しスリット１３を通してホッパ６及び押さえ板１２の外方へ延出する。【００１９】
図７に示すように、この延縄用餌付釣針水中投入装置Ａは漁船Ｂの船尾上端に固定したロッド１５で支持される。ロッド１５の先端にはジョイント部１６が船体の幅方向と平行な軸を中心として回転自在に装着され、ジョイント部１６の後端には挟持具１７が船体の長さ方向と平行な軸を中心として回転自在に接続されている。そして、挟持具１７でケーシング５の上部を把持してある。従って、延縄用餌付釣針水中投入装置Ａは、船体の幅方向及び長さ方向に回転可能であり、使用しない時は、水平になるよう回転させて水中から引き上げることができる。【００２０】
図８に示すように、駆動スプロケット１を駆動させるモータ８は、インバータ１８を介して交流電源１９に接続されている。また、インバータ１８には、始動スイッチ２０、緊急停止スイッチ２１、速度調整操作部２２及び位置センサ２３が接続されている。【００２１】
位置センサ２３は、チェーンベルト３の位置を検出し、チェーンベルト３の回転により移動するピン４が、押さえ板１２の背後においてスリット１０から突出すると、インバータ１８へ信号を送り、インバータ１８はモータ８を一定時間停止させる。チェーンベルト３が停止している時間は、コンベア７の運転タイミングに合わせて設定される。
そして、チェーンベルト３、コンベア７及びサブコンベア１４が停止している時に、作業員がサブコンベア１４で搬送されている枝縄Ｄを幹縄に取付ける。【００２２】
延縄用餌付釣針水中投入装置Ａを垂直に吊り下げてチェーンベルト３の下部を水没させてから、始動スイッチ２０を入れると、モータ８が起動して駆動スプロケット１が回転を始め、チェーンベルト３は、速度調整操作部２２により設定した速度に達すると定速運転される。同時に、コンベア７及びサブコンベア１４も駆動され、餌Ｃと餌Ｃに連結された枝縄Ｄをそれぞれホッパ６及び船尾の外へ向けて搬送する。ホッパ６へ投入された餌Ｃは押さえ板１２で挟まれて停止し、これに連結された枝縄Ｄは船外へ落下する。【００２３】
コンベア７と同期して運転されるチェーンベルト３に植設されたピン４が、ケーシング５のスリット１０からせりあがり、停止している餌Ｃに突き刺さる。すると、位置センサ２３からの信号でチェーンベルト３が停止する。
コンベア７から次の餌Ｃがホッパ６へ投入されると、チェーンベルト３が再び移動し、ピン４に突き刺された餌Ｃが押さえ板１２から外れ、ケーシング５の正面外方をスリット１０に沿って降下する。【００２４】
餌Ｃを突き刺したピン４は、ケーシング５の下部の傾斜部分に達すると、次第にスリット１０から引き込まれ、ピン４が完全にケーシング５内に没入すると、餌Ｃはケーシング５に押されてピン４からはずれ、最終的に水中に放出される。
餌Ｃを水中に放出する間隔は、漁船Ｂの速度、枝縄Ｄ間の距離、幹縄の繰り出し速度に応じて、コンベア７による餌Ｃの投入間隔及びチェーンベルト３の運転速度を変えることにより調節する。例えば、３０００本の釣り針を装着した長さ１５０ｋｍの幹縄、即ち、５０ｍ間隔で枝縄Ｄを設けた幹縄を、約７．５ｍ／ｓの繰り出し速度で、速度１０ｋｔ（ノット）の漁船Ｂから繰り出す場合には、約６秒間隔で餌Ｃを放出する。【００２５】
次に、本発明の実施例２を図９〜図１１を参照して説明する。この実施例では、ケーシング５の正面側外面において、押さえ板１２よりも下方の部分をカバー２５で覆ってある。実施例２では、カバー２５とケーシング５との間に形成された空間を通して餌Ｃを移送することにより、海鳥の誤獲を完全に無くすことができ、投入中の餌の脱落も防止できる。その他の構成は、実施例１とほぼ同様なので、同一部分に同一符号を付して詳細な説明を省略する。【００２６】
なお、上記実施例１及び実施例２において、ホッパ６内にセンサを設け、このセンサがコンベア７から投入された餌Ｃを検知するとチェーンベルト３が移動を再開するようにしても良い。また、延縄用餌付釣針水中投入装置Ａを支持する構造、補強材９の形状等は、図示のものに限定されない。
【図１】
2007105630.tif 000003
【図２】
2007105630.tif 000004
【図３】
2007105630.tif 000005
【図４】
2007105630.tif 000006
【図５Ａ】
2007105630.tif 000007
【図５Ｂ】
2007105630.tif 000008
【図５Ｃ】
2007105630.tif 000009
【図６】
2007105630.tif 000010
【図７】
2007105630.tif 000011
【図８】
2007105630.tif 000012
【図９】
2007105630.tif 000013
【図１０】
2007105630.tif 000014
【図１１】
2007105630.tif 000015
【国際調査報告】
2007105630.tif 000016
2007105630.tif 000017